(57)【要約】  加工物に規則的な配列のサブピクセル行を印刷する方法が提供される。サブピクセルは、ｃ種類の異なる色と、サブピクセルピッチｓを有する。印刷ヘッドが、間隔ｐを空けて列を成して配置されたｚ個のノズルを有し、ここで、ｚ＝ｎ1（ｃ）かつｐ＝ｎ2（ｓ）であり、印刷ヘッドは、加工物に対して第１の位置にある。ｃ種類の色のそれぞれにつき１つずつ、ｃ種類の異なる印刷インクがあり、印刷インクのそれぞれが、規則的な交互のパターンでノズルに供給される。本方法は、印刷ヘッドで第１の組のｚ行のサブピクセルを印刷する工程と；印刷ヘッドに対して側方向に距離ｄ1だけ加工物を移動させる工程であって、ここで、ｄ1＝ｎ3（ｓ）である工程と；印刷ヘッドで第２の組のｚ行のサブピクセルを印刷する工程と；合計してｎ2組のｚ行のサブピクセルを印刷する工程を繰り返す工程とを含む。変数は：  ２以上の整数であるｃ；  同じかまたは異なっており、かつ１以上の整数から独立して選択され、ただし、ｎ2はｃの倍数ではないｎ1、ｎ2、およびｎ3を含む。
2011507190.tif 000002
【特許請求の範囲】
【請求項１】
加工物に規則的な配列のサブピクセル行を印刷する方法であって、前記サブピクセルが、ｃ種類の異なる色と、サブピクセルピッチｓを有し、前記方法が：
（ａ）間隔ｐを空けて列を成して配置されたｚ個のノズルを有する印刷ヘッドを提供する工程であって、ここで、ｚ＝ｎ1（ｃ）かつｐ＝ｎ2（ｓ）であり、前記印刷ヘッドが、前記加工物に対して第１の位置にある工程と；
（ｂ）前記ｃ種類の色のそれぞれにつき１つずつ、ｃ種類の異なる印刷インクを提供する工程と；
（ｃ）前記印刷インクのそれぞれを、規則的な交互のパターンで前記ノズルに供給する工程と；
（ｄ）前記印刷ヘッドで第１の組のｚ行のサブピクセルを印刷する工程と；
（ｅ）前記印刷ヘッドに対して側方向に距離ｄ1だけ前記加工物を移動させる工程であって、ここでｄ1＝ｎ3（ｓ）である工程と；
（ｆ）前記印刷ヘッドで第２の組のｚ行のサブピクセルを印刷する工程と；
（ｇ）合計してｎ2組のｚ行のサブピクセルについて、工程（ｅ）および（ｆ）を繰り返す工程と；を含み、
ここで：
ｃが２以上の整数であり；
ｎ1、ｎ2、およびｎ3が、同じかまたは異なっており、かつ１以上の整数から独立して選択され、ただし、ｎ2がｃの倍数ではない方法。
【請求項２】
前記印刷ヘッドに対して側方向に第２の印刷位置へと、前記加工物を移動させる工程であって、ここで、前記印刷ヘッドが、前記第１の印刷から距離ｄ2だけ移動され、ｄ2＝ｎ2ｚｓである工程と、工程（ｄ）〜（ｇ）を繰り返す工程とをさらに含む請求項１に記載の方法。
【請求項３】
ｃ＝２、３、または４である請求項１に記載の方法。
【請求項４】
ｎ1が少なくとも２である請求項１に記載の方法。
【請求項５】
ｎ2＝ｃ＋１である請求項１に記載の方法。
【請求項６】
ｎ3＝ｎ4ｃであり、ここで、ｎ4が１以上の整数である請求項１に記載の方法。
【請求項７】
ｃ＝２、ｎ1＝４〜８、ｎ2＝３、かつｎ3＝２である請求項１に記載の方法。
【請求項８】
ｃ＝３、ｎ1＝３〜５、ｎ2＝４、かつｎ3＝３である請求項１に記載の方法。
【請求項９】
ｃ＝４、ｎ1＝２〜４、ｎ2＝５、かつｎ3＝４である請求項１に記載の方法。
【発明の詳細な説明】
【技術分野】
【０００１】
関連出願の相互参照
本出願は、米国特許法第１１９条（ｅ）に基づいて、２００７年１２月１０日に出願の米国仮特許出願第６１／０１２，６０１号の優先権を主張するものであり、この仮特許出願は、その全体が参照により援用される。
【０００２】
本開示は、一般に電子デバイスおよび方法に関し、より詳細には、電極と、異なる色の有機活性領域とを有する電子デバイス、およびその形成方法に関する。
【背景技術】
【０００３】
電子デバイスは、液晶ディスプレイ（「ＬＣＤ」）、有機発光ダイオード（ＯＬＥＤ）ディスプレイなどを含み得る。電子デバイスの製造は、溶液堆積技術を用いて行われ得る。電子デバイスの一作製方法は、印刷（例えば、インクジェット印刷、連続印刷など）によって基板上に有機層を堆積することである。印刷方法において、印刷される液体組成物が、有機溶媒、水性溶媒、またはこれらの溶媒の組み合わせを用いて、溶液、分散体、エマルジョン、または懸濁液に溶かした有機材料を含む。印刷後、溶媒は蒸発され、有機材料が残って、電子デバイス用の有機層が形成される。
【０００４】
典型的に、第１の色が印刷され、次に印刷デバイスが再較正され、第２の色が印刷される。場合によっては、第１の色が印刷された基板は、第２の色を印刷するための第２のプリンタに移動される。これには、プリンタの設定および調整の時間も必要とされる。多くの場合、赤色、緑色、および青色の３色が印刷される。この場合、各色との再較正および／または再調整に時間がかかるはずである。改良された印刷方法が必要とされている。
【発明の概要】
【課題を解決するための手段】
【０００５】
加工物に規則的な配列のサブピクセル行を印刷する方法が提供され、サブピクセルは、ｃ種類の異なる色と、サブピクセルピッチｓを有し、前記方法は：
（ａ）間隔ｐを空けて列を成して配置されたｚ個のノズルを有する印刷ヘッドを提供する工程であって、ここで、ｚ＝ｎ1（ｃ）かつｐ＝ｎ2（ｓ）であり、印刷ヘッドが、加工物に対して第１の位置にある工程と；
（ｂ）ｃ種類の色のそれぞれにつき１つずつ、ｃ種類の異なる印刷インクを提供する工程と；
（ｃ）印刷インクのそれぞれを、規則的な交互のパターンでノズルに供給する工程と；
（ｄ）印刷ヘッドで第１の組のｚ行のサブピクセルを印刷する工程と；
（ｅ）印刷ヘッドに対して側方向に距離ｄ1だけ加工物を移動させる工程であって、ここでｄ1＝ｎ3（ｓ）である工程と；
（ｆ）印刷ヘッドで第２の組のｚ行のサブピクセルを印刷する工程と；
（ｇ）合計してｎ2組のｚ行のサブピクセルについて、工程（ｅ）および（ｆ）を繰り返す工程と；を含み、
ここで：
ｃが２以上の整数であり；
ｎ1、ｎ2、およびｎ3が、同じかまたは異なっており、かつ１以上の整数から独立して選択され、ただし、ｎ2がｃの倍数ではない。
【０００６】
印刷ヘッドに対して側方向に第１の印刷位置に対して距離ｄ2だけ、加工物を移動させる工程であって、ここでｄ2＝ｎ2ｚｓである工程と、工程（ｄ）〜（ｇ）を繰り返す工程とをさらに含む上記の方法も提供される。
【０００７】
以上の概要および以下の詳細な説明は、単に例示的および説明的なものであり、添付の特許請求の範囲によって規定される本発明を限定するものではない。
【０００８】
本明細書において提示される概念を理解しやすいようにするために、添付の図面において実施形態を説明する。
【図面の簡単な説明】
【０００９】
【図１】ディスプレイを含む電子デバイスを作製するための加工物の平面図を含む。
【図２】加工物およびプリンタの断面図の例示を含む。
【図３Ａ】２色での印刷方法を示す線図を含む。
【図３Ｂ】２色での印刷方法を示す線図を含む。
【図３Ｃ】２色での印刷方法を示す線図を含む。
【図４Ａ】３色での印刷方法を示す線図を含む。
【図４Ｂ】３色での印刷方法を示す線図を含む。
【図４Ｃ】３色での印刷方法を示す線図を含む。
【図４Ｄ】３色での印刷方法を示す線図を含む。
【図５Ａ】３色での印刷方法を示す別の線図を含む。
【図５Ｂ】３色での印刷方法を示す別の線図を含む。
【図５Ｃ】３色での印刷方法を示す別の線図を含む。
【図５Ｄ】３色での印刷方法を示す別の線図を含む。
【図６Ａ】４色での印刷方法を示す線図を含む。
【図６Ｂ】４色での印刷方法を示す線図を含む。
【図６Ｃ−１】４色での印刷方法を示す線図を含む。
【図６Ｃ−２】４色での印刷方法を示す線図を含む。
【図６Ｄ】４色での印刷方法を示す線図を含む。
【図７Ａ】２色での印刷方法を示す別の線図を含む。
【図７Ｂ】２色での印刷方法を示す別の線図を含む。
【図７Ｃ】２色での印刷方法を示す別の線図を含む。
【図７Ｄ】２色での印刷方法を示す別の線図を含む。
【００１０】
図面中の要素は、平易かつ明快にするために示されており、必ずしも縮尺通りに描かれているわけではないことを当業者は理解する。たとえば、本発明の実施形態を理解しやすいようにするために、図面中の一部の要素の寸法が他の要素よりも拡大されている場合がある。
【発明を実施するための形態】
【００１１】
多くの態様および実施形態を上述したが、これらはあくまで例示であり限定されるものではない。当業者は、本明細書を読めば、他の態様および実施形態が本発明の範囲から逸脱せずに可能であることを理解する。
【００１２】
実施形態のいずれか１つまたは複数の他の特徴および利点は、以下の詳細な説明および特許請求の範囲から明らかになるであろう。詳細な説明はまず、用語の定義および説明に触れ、その後、プリンタ、印刷方法、および電子デバイスと続いている。
【００１３】
１．用語の定義および説明
下記の実施形態の詳細に触れる前に、いくつかの用語を定義または説明する。
【００１４】
用語「配列」は、要素の規則的な配置を意味することを意図している。配列としては、ピクセル、サブピクセル、セル、または通常、列および行によって示される規則的な配置内にある他の構造が挙げられる。配列は、ｘ方向およびｙ方向について表わされ得る。
【００１５】
用語「青色発光部品」は、約４００〜５００ｎｍの範囲の波長で発光極大を有する放射線を発することが可能な電子部品を意味することを意図している。
【００１６】
用語「連続」およびその変形は、実質的に連続していることを意味することを意図している。一実施形態において、連続印刷は、液滴を用いた堆積技術とは対照的に、液体または液体組成物の実質的に連続した流れを用いた印刷である。別の実施形態において、連続して延在するは、層、部材、または構造の長さに沿って大きな切れ目のない、ある長さの層、部材、または構造を意味する。
【００１７】
用語「電子デバイス」は、適切に電気接続され適切な電位が供給されたときに、集合的にある機能を果たす回路、電子部品、またはそれらの任意の組み合わせの集まりを意味することを意図している。電子デバイスが、含まれるかまたはシステムの一部であり得る。電子デバイスの例としては、ディスプレイ、センサーアレイ、コンピュータシステム、アビオニクスシステム、自動車、携帯電話、他の家庭用もしくは工業用電子製品、またはそれらの任意の組み合わせが挙げられる。
【００１８】
用語「緑色発光部品」は、約５００〜６００ｎｍの範囲の波長で発光極大を有する放射線を発することが可能な電子部品を意味することを意図している。
【００１９】
用語「ゲスト材料」は、ホスト材料を含む層内の材料であって、そのような材料がない層の放射線放出、受信、またはフィルタリングの電子的特性または波長と比較して、層の放射線放出、受信、またはフィルタリングの電子的特性または目的とする波長を変更する材料を意味することを意図している。
【００２０】
用語「ホスト材料」は、通常、ゲスト材料が加えられてもまたは加えられなくてもよい層の形態にある材料を意味することを意図している。ホスト材料は、放射線を放出する、受信する、またはフィルタリングする電子的特性または機能を有してもまたは有さなくてもよい。
【００２１】
用語「液体組成物」は、溶液を形成するために材料を液体媒体に溶解させたもの、分散体を形成するために材料を液体媒体に分散させたもの、または懸濁液もしくはエマルジョンを形成するために材料を液体媒体に懸濁させたものを意味することを意図している。
【００２２】
用語「液体媒体」は、溶液、分散体、懸濁液、またはエマルジョン中の液体を意味することを意図している。用語「液体媒体」は、１つまたは複数の溶媒が存在するか否かにかかわらず用いられるため、液体媒体（ｌｉｑｕｉｄ  ｍｅｄｉｕｍ）は、この用語の単数形または複数形（すなわち、液体媒体（ｌｉｑｕｉｄ  ｍｅｄｉａ））として用いられる。
【００２３】
用語「ノズル」は、液体組成物または液体媒体を分配することができる装置の一部を意味することを意図している。
【００２４】
用語「配向」は、特徴部が延在する主な方向を意味することを意図している。同じ高さまたは異なる高さにおける異なる特徴部の間の関係として、特徴部は、互いに対して実質的に平行、実質的に垂直、または他の角度関係で配向され得る。
【００２５】
用語「有機活性層」は、有機層の少なくとも１つが、それ自体で、または異なる材料と接触したときに整流接合（ｒｅｃｔｉｆｙｉｎｇ  ｊｕｎｃｔｉｏｎ）を形成することができる、１つまたは複数の有機層を意味することを意図している。用語「有機活性領域」は、有機領域の少なくとも１つが、それ自体で、または異なる材料と接触したときに整流接合を形成することができる、１つまたは複数の有機領域を意味することを意図している。
【００２６】
用語「有機層」は、層の少なくとも１つが、炭素と、水素、酸素、窒素、フッ素などの少なくとも１つの他の元素とを含む材料を含む、１つまたは複数の層を意味することを意図している。
【００２７】
用語「ピッチ」は、特徴部の寸法と、直接隣接する特徴部の間の間隔の寸法との合計を意味することを意図している。
【００２８】
用語「ピクセル」は、配列の最小の完全な繰返し単位を意味することを意図している。用語「サブピクセル」は、ピクセルの全てではないが一部のみを構成するピクセルの一部を意味することを意図している。フルカラーディスプレイにおいては、フルカラーピクセルは、赤色、緑色および青色のスペクトル領域に原色を有する３つのサブピクセルを含み得る。センサーアレイが、サブピクセルを含んでもまたは含まなくてもよいピクセルを含み得る。
【００２９】
用語「印刷」は、印刷ヘッドまたは他の同様の構造を用いて液体または液体組成物を加工物上に分配することによって、層を選択的に堆積する作業を意味することを意図している。
【００３０】
用語「印刷装置」は、加工物上に層を印刷するために設計された１つまたは複数の材料、機器、アセンブリまたはサブアセンブリの組み合わせを意味することを意図している。
【００３１】
用語「放射線放出部品」は、適切にバイアスされると、目的とする波長または波長のスペクトルにおける放射線を放出する電子部品を意味することを意図している。放射線は、可視光スペクトルの範囲内または可視光スペクトルの範囲外（ＵＶまたはＩＲ）であり得る。発光ダイオードなどの発光部品が、放射線放出部品の一例である。
【００３２】
用語「放射線応答性部品」は、適切にバイアスされると、目的とする波長または波長のスペクトルにおける放射線に応答することができる電子部品を意味することを意図している。放射線は、可視光スペクトルの範囲内または可視光スペクトルの範囲外（ＵＶまたはＩＲ）であり得る。ＩＲセンサーおよび太陽電池が、放射線感知部品の例である。
【００３３】
用語「整流接合」は、半導体層内もしくは半導体領域内の接合または半導体層もしくは半導体領域と、異なる材料との間の境界面によって形成される接合を意味することを意図しており、１つのタイプの電荷キャリアが、１つの方向において、反対方向と比較してより容易に接合を通って流れる。ｐｎ接合は、ダイオードとして使用可能な整流接合の一例である。
【００３４】
用語「赤色発光部品」は、約６００〜７００ｎｍの範囲の波長で発光極大を有する放射線を発することが可能な電子部品を意味することを意図している。
【００３５】
用語「解像限界」は、特定の装置または他の機器を用いたときに再現性よく形成可能な最小の特徴部サイズを意味することを意図している。
【００３６】
用語「可視光スペクトル」は、約４００〜７００ｎｍに対応する波長を有する放射線スペクトルを意味することを意図している。
【００３７】
用語「幅」は、層にかかわらず平面図で見たときに、特定の特徴部のより狭い寸法に対応する方向で測定される寸法を意味することを意図している。用語「長さ」は、層にかかわらず平面図で見たときに、幅に対して実質的に垂直な方向で測定される寸法を意味することを意図している。
【００３８】
用語「加工物」は、１つまたは複数のデバイス層を上に有する基板を意味することを意図している。デバイス層は、無機または有機であり得る。
【００３９】
本明細書において使用される場合、用語「含んでなる」、「含んでなること」、「含む」、「含むこと」、「有する」、「有すること」、またはそれらの他のあらゆる変形は、非排他的な包含を扱うことを意図している。たとえば、ある一連の特徴部を含むプロセス、方法、物品、または装置は、それらの特徴部のみに必ずしも限定されるわけではなく、そのようなプロセス、方法、物品、または装置に関して明示されないかまたはそれらに固有のものでもない他の特徴部を含むことができる。さらに、相反する明示的な記載がない限り、「または」は、包含的な「または」を意味するのであって、排他的な「または」を意味するのではない。たとえば、条件ＡまたはＢが満たされるのは：Ａが真であり（または存在する）Ｂが偽である（または存在しない）、Ａが偽であり（または存在しない）Ｂが真である（または存在する）、ならびにＡおよびＢの両方が真である（または存在する）のいずれか１つによってである。
【００４０】
また、本発明に記載の要素および成分を説明するために単数形（「ａ」または「ａｎ」）も使用されている。これは単に便宜的なものであり、本発明の範囲の一般的な意味を提供するために行われている。この記述は、１つまたは少なくとも１つを含むものと読むべきであり、明らかに他の意味となる場合を除けば、単数形は複数形も含んでいる。
【００４１】
元素周期表の縦列に対応する族番号は、「ＣＲＣ  Ｈａｎｄｂｏｏｋ  ｏｆ  Ｃｈｅｍｉｓｔｒｙ  ａｎｄ  Ｐｈｙｓｉｃｓ」、第８１版（２０００〜２００１年）に見られるような「新表記法（Ｎｅｗ  Ｎｏｔａｔｉｏｎ）」規約を使用する。
【００４２】
特に定義しない限り、本明細書において使用されるすべての技術用語および科学用語は、本発明が属する技術分野の当業者によって一般に理解されている意味と同じ意味を有する。本明細書に記載されるものと類似または等価の方法および材料を、本発明の実施形態の実施または試験において使用することができるが、好適な方法および材料について以下に説明する。本明細書において言及されるあらゆる刊行物、特許出願、特許、およびその他の参考文献は、特定の段落が引用されない限りそれらの記載内容全体が援用される。矛盾が生じる場合には、定義を含めて本明細書に従うものとする。さらに、材料、方法、および実施例は、単に説明的なものであり、限定を意図したものではない。
【００４３】
本明細書に記載されない程度に、特定の材料、処理行為、および回路に関する多くの詳細が、従来のものであり、有機発光ダイオードディスプレイ技術、光検出器技術、光起電力技術、および半導体部材技術の範囲内のテキストブックおよび他の出典に見出されるであろう。
【００４４】
２．プリンタ
特定の実施形態に触れる前に、本明細書に記載される概念を理解しやすいようにするために、プリンタについて触れる。
【００４５】
図１に示されるように、プリンタ１０が、ノズル１１０が結合された印刷ヘッド１００を有する。ノズル間の間隔がｐと示されている。プリンタは、各ノズルに適切な液体組成物を供給するために配線（ｌｉｎｅｓ）（図示せず）に結合される。各色につき１つずつ、異なる液体組成物が、規則的な交互のパターンで供給される。このことが意味するのは、各色のうちの１つが供給されてからいずれかの色が重ねられ、追加の色が同じ順序で供給されることである。この図では、第１のノズルが色１を有し、第２のノズルが色２を有し、第３のノズルが色１を有し、第４のノズルが色２を有する。Ｒ、Ｇ、およびＢの３色、ならびに３ｎ1個のノズル（図示せず）を有するシステムでは、第１のノズルがＲを有し、第２のノズルがＧを有し、第３のノズルがＢを有し、第４のノズルがＲを有し、第５のノズルがＧを有し、第６のノズルがＢを有する（以下同様）ように、液体組成物を供給することができる。
【００４６】
印刷ヘッドは、加工物２０の上に示される。印刷ヘッドと加工物とは、Ｌによって示されるように、互いに対して移動可能である。この移動は相対的なものである。場合によっては、加工物が移動される。場合によっては、印刷ヘッドが移動される。場合によっては、印刷ヘッドおよび加工物の両方が移動される。簡潔にするために、移動は、印刷ヘッドのみが移動され、加工物が静止しているかのように扱われる。印刷ヘッドおよび加工物のいずれかまたは両方を移動させることができ、問題となるのは、互いに対するそれらの移動のみであることが理解されよう。
【００４７】
図１に示される実施形態において、プリンタは４つのノズルを有する。ノズルの実際の数は、これより多くてもよく、実際の製造上の考慮要件によってのみ制限される。ある実施形態において、ノズルの数は６〜２４の範囲である。
【００４８】
印刷の供給は、液体材料を堆積するための任意の公知のシステムによって行われ得る。印刷技術のいくつかの例としては、インクジェットおよび連続ノズルスプレーが挙げられるが、これらに限定されるものではない。
【００４９】
３．印刷方法
図２は、電子デバイスを作製するための加工物２０の平面図を含む。加工物は、規則的な配列のサブピクセル開口２１０を有する基板２００を含む。加工物は、第１の縁部２０１および反対側の縁部２０２を有する。図にはいくつかのサブピクセルのみが示されている。実際には、デバイスは、数百またはそれ以上のサブピクセルを有することがある。ある実施形態において、サブピクセル開口は、物理的な収容構造、化学的な収容構造あるいはその両方であり得る収容構造（図示せず）によって画定される。サブピクセル開口２１０は、２１１、２１２、および２１３と示される、規則的な配列の行である。サブピクセルピッチは、ｓと示されている。この図では、３つのサブピクセルがともにピクセル２２０を形成する。図示される実施形態において、サブピクセル２１０は矩形形状を有する。円、楕円、四角形、または多角形などの他のサブピクセル形状を使用することができる。印刷方向が、図中でｘと示されている。側方向の移動が、印刷方向に対して垂直なｙ方向の移動と定義される。
【００５０】
本明細書に記載の方法において、規則的な配列のサブピクセル行が、加工物上に印刷される。印刷される色の数はｃであり、ここでｃは少なくとも２であり、サブピクセルはサブピクセルピッチｓを有する。本方法は：
（ａ）間隔ｐを空けて列を成して配置されたｚ個のノズルを有する印刷ヘッドを提供する工程であって、ここで、ｚ＝ｎ1（ｃ）かつｐ＝ｎ2（ｓ）であり、印刷ヘッドが、加工物に対して第１の位置にある工程と；
（ｂ）ｃ種類の色のそれぞれにつき１つずつ、ｃ種類の異なる印刷インクを提供する工程と；
（ｃ）印刷インクのそれぞれを、規則的な交互のパターンでノズルに供給する工程と；
（ｄ）印刷ヘッドで第１の組のｚ行のサブピクセルを印刷する工程と；
（ｅ）印刷ヘッドに対して側方向に距離ｄ1だけ加工物を移動させる工程であって、ここでｄ1＝ｎ3（ｓ）である工程と；
（ｆ）印刷ヘッドで第２の組のｚ行のサブピクセルを印刷する工程と；
（ｇ）合計してｎ2組のｚ行のサブピクセルについて、工程（ｅ）および（ｆ）を繰り返す工程と；を含み、
ここで：
ｃが２以上の整数であり；
ｎ1、ｎ2、およびｎ3が、同じかまたは異なっており、かつ１以上の整数から独立して選択され、ただし、ｎ2がｃの倍数ではない。
【００５１】
印刷ヘッドはｚ個のノズルを有し、ここで、ｚが、色の数ｃの倍数である。したがって、ｚ＝ｎ1（ｃ）（ここで、ｎ1が１以上の整数である）である。ある実施形態において、ｃが２、３、または４である。ある実施形態において、ｃ＝３である場合、色は赤色、青色および緑色である。ある実施形態において、ｃ＝４である場合、色は赤色、青色、緑色および白色である。ある実施形態において、ｎ1が２以上である。ある実施形態において、ｃ＝２かつｎ1＝４〜８である。ある実施形態において、ｃ＝３かつｎ1＝３〜５である。ある実施形態において、ｃ＝４かつｎ1＝２〜４である。
【００５２】
印刷ヘッドは、加工物上の第１の印刷位置から開始する。この第１の位置は、Ａ１と称され、後の項で説明される。ある実施形態において、プリンタは、図２に２０１と示される、加工物の１つの縁部に位置決めされ、第１の行のサブピクセル上になるように整列される。ノズルは、サブピクセル行において印刷するように全て整列されるように、距離ｐだけ間隔が空いている。したがって、ノズルは、サブピクセルピッチｓの倍数だけ間隔が空いている。したがって、ｐ＝ｎ2（ｓ）であり、ここで、ｎ2が１以上の整数であるが、ｃの倍数ではない。用語「ある数の倍数」は、ある数に１以上の整数を掛けた値を意味する。ある実施形態において、ｎ2がｃ＋１以上である。ある実施形態において、ｎ2＝ｃ＋１である。
【００５３】
プリンタは、第１の組の行のサブピクセルを印刷するために、加工物にわたってｘ方向に印刷する。印刷される行の数は、印刷ヘッド上のノズルの数に等しい。
【００５４】
第１の組の行の印刷が完了した後、印刷ヘッドは、加工物にわたって側方向に隣接する印刷位置まで移動する。この位置は、Ａ２と称され、後の項で説明される。この移動は、加工物の面に対して平行であり、かつ行の方向に対して垂直なｙ方向である。移動される距離ｄ1もサブピクセルピッチｓの倍数である。したがって、ｄ1＝ｎ3（ｓ）であり、ここで、ｎ3が１以上の整数である。ある実施形態において、ｎ3が色の数の倍数である。これらの実施形態において、ｎ3＝ｎ4ｃであり、ここで、ｎ4が１以上の整数である。次に、第２の組のｚ行が印刷される。印刷は、第１の印刷と反対方向であっても、または印刷ヘッドが第１の印刷と同じ側に戻り、同じ方向で印刷してもよい。これは、機器およびソフトウェアによって決定される。
【００５５】
ｎ2組のサブピクセル行を合わせた第１の群が印刷されるまで、上記の工程が繰り返される。
【００５６】
ある実施形態において、ｎ2組のサブピクセル行が印刷された後、印刷ヘッドは、第１の印刷位置Ａ１に対して距離ｄ2だけ、第２の印刷位置へと移動される。第２の印刷位置はＢ１と称され、後の項で説明される。移動される距離ｄ2は、ノズルの数およびノズル間の間隔の関数である。すなわち、ｄ2＝ｎ2ｚｓである。これは、サブピクセルを全く重ね刷りせずにより多くのサブピクセル行を印刷するためになされる。ｄ2だけ移動した後、工程（ｄ）〜（ｇ）が繰り返され、第２の群のｎ2組のサブピクセル行が印刷される。
【００５７】
第２の群のｎ2組のサブピクセル行が印刷された後、印刷ヘッドは、印刷位置Ｂ１に対して距離ｄ2だけ、第３の印刷位置へと移動される。第３の印刷位置はＣ１と称され、後の項で説明される。次に、第３の組のｎ2個のサブピクセル行が印刷される。ｄ2だけ移動させる工程およびｎ2個のサブピクセル行を印刷する工程は、図２の２０２と示される、加工物における反対側の縁部にプリンタが達するまで続けられる。この印刷方法において、いくつかのサブピクセル開口は、第１の縁部および反対側の縁部において印刷されない。これらは加工物の廃棄部分となる。
【００５８】
実際に、サブピクセル行は、任意の順序で印刷することができる。加工物に対する印刷ヘッドの移動は、上述したとおりであり、ｎ2組のサブピクセル行は、位置Ａ１、Ｂ１、Ｃ１などから開始して印刷されることになるが、必ずしも順序が決まっているわけではない。印刷の正確な順序は、プリンタを用いるのに最も効率的な方法によって決定されることになる。
【００５９】
本明細書に記載の方法は、図３〜７にさらに示される。図３にはＭ１およびＭ２の２色がある。印刷ヘッドには４つのノズルがあり、ノズル間の間隔は、３単位のサブピクセルピッチである。したがって、この図では：
ｃ＝２、
ｚ＝４、
ｎ1＝２、かつ
ｎ2＝３である。
【００６０】
色は、「プリンタ」と表示された列に示されるように配置される。印刷ヘッドは、サブピクセル行１上に、色Ｍ１を入れた第１のノズルを用いて、第１の縁部に位置決めされる。これは、Ａ１と示される第１の印刷位置である。位置Ａ１は、第１のノズルが配置されるサブピクセル行と定義される。このプリンタは、加工物にわたって行方向に印刷して、サブピクセル行１に色Ｍ１の行、サブピクセル行４に色Ｍ２の行、サブピクセル行７に色Ｍ１の行、およびサブピクセル行１０に色Ｍ２の行を形成する。これは、印刷番号１と表示された列に示されている。明瞭にするために各色につき１つのみのサブピクセルが示されているが、それぞれサブピクセルの全部の行を代表している。ここで、プリンタは、ｎ3個のサブピクセル単位である距離ｄ1だけ側方向に移動する。この場合、ｎ3＝２である。これはプリンタの位置Ａ２である。次に、プリンタは、印刷番号２と表示された列に示されるように、第２の組の行：サブピクセル行３に色Ｍ１の行、サブピクセル行６に色Ｍ２の行、サブピクセル行９に色Ｍ１の行、およびサブピクセル行１２に色Ｍ２の行を印刷する。明瞭にするために、印刷番号２は、印刷番号１の右にずれて示されている。印刷番号１および印刷番号２の両方、ならびに全ての他の印刷番号が、加工物にわたって印刷されるサブピクセルの全部の行を代表している。次に、プリンタはまた、２サブピクセル単位だけ側方向に移動する。これは、プリンタの位置Ａ３である。次に、プリンタは、印刷番号３と表示された列に示されるように、第３の組の行：サブピクセル行５に色Ｍ１の行、サブピクセル行８に色Ｍ２の行、サブピクセル行１１に色Ｍ１の行、およびサブピクセル行１４に色Ｍ２の行を印刷する。
【００６１】
この時点で、プリンタは、３組の４行のサブピクセルを印刷しており、これは、ｎ2組のｚ個のサブピクセル行である。次に、印刷ヘッドは、距離ｄ2だけ側方向に移動され、ここで、ｄ2＝ｎ2ｚｓであり、この図では１２に等しい。新たな位置は、Ｂ１と示される第２の印刷位置であり、ここで、Ｂ１＝Ａ１＋１２＝１３である。次に、プリンタは、印刷番号４と表示された列に示されるように、第４の組の行：サブピクセル行１３に色Ｍ１の行、サブピクセル行１６に色Ｍ２の行、サブピクセル行１９に色Ｍ１の行、およびサブピクセル行２２に色Ｍ２の行を印刷する。次に、プリンタは、２サブピクセル単位である距離ｄ1だけ側方向に移動する。これはプリンタの位置Ｂ２である。次に、プリンタは、印刷番号５と表示された列に示されるように、第５の組の行：サブピクセル行１５に色Ｍ１の行、サブピクセル行１８に色Ｍ２の行、サブピクセル行２１に色Ｍ１の行、およびサブピクセル行２４に色Ｍ２の行を印刷する。次に、プリンタはまた、２サブピクセル単位だけ側方向に移動する。これはプリンタの位置Ｂ３である。次に、プリンタは、印刷番号６と表示された列に示されるように、第６の組の行：サブピクセル行１７に色Ｍ１の行、サブピクセル行２０に色Ｍ２の行、サブピクセル行２３に色Ｍ１の行、およびサブピクセル行２６に色Ｍ２の行を印刷する。
【００６２】
この時点で、プリンタは、別のｎ2組のｚ個のサブピクセル行を印刷している。次に、印刷ヘッドは、１２である距離ｄ2だけ側方向に移動される。新たな位置は、Ｃ１と示される第３の印刷位置であり、ここで、Ｃ１＝Ｂ１＋１２＝２５である。さらに３組のサブピクセル行が、印刷番号７〜９に示されるのと同じように印刷される。次に、印刷ヘッドは、１２である距離ｄ2だけ側方向に移動される。新たな位置は、Ｄ１と示される第４の印刷位置であり、ここで、Ｄ１＝Ｃ１＋１２＝３７である。この図における加工物の印刷は、印刷番号１０〜１２に示されるように、さらなる３組のサブピクセル行を印刷することによって完成される。この時点で、印刷は、加工物の反対側の縁部に到達している。実際には、ほとんどのデバイスが、最大で数百またはそれ以上のサブピクセル行の多くのさらなる行を必要とし、これらの行は同様に印刷され得る。図にはあくまでも例示として５０個のサブピクセル行が示されている。
【００６３】
印刷された結果が、「パターン」と表示された列に示されている。サブピクセル行２およびサブピクセル行４９にはサブピクセルが脱落していることが分かる。したがって、使用可能はデバイスの領域は、サブピクセル行３からサブピクセル行４８までである。
【００６４】
図４には、赤色、青色、および緑色の３色がある。印刷ヘッドには９つのノズルがあり、ノズル間の間隔は、４単位のサブピクセルピッチである。したがって、この図では：
ｃ＝３、
ｚ＝９、
ｎ1＝３、かつ
ｎ2＝４である。
【００６５】
色は、「プリンタ」列に示されるように配置される。印刷ヘッドは、加工物の第１の縁部において、サブピクセル行１上のＡ１に位置決めされる。プリンタは、加工物にわたって行方向に印刷して、サブピクセル行１に赤色の行、サブピクセル行５に青色の行、サブピクセル行９に緑色の行、サブピクセル行１３に赤色の行、サブピクセル行１７に青色の行、サブピクセル行２１に緑色の行、サブピクセル行２５に赤色の行、サブピクセル行２９に青色の行、およびサブピクセル行３３に緑色の行を形成する。これは、印刷番号１と表示される列に示されている。図３と同様に、明瞭にするために各色につき１つのみのサブピクセルが示されているが、それぞれサブピクセルの全部の行を代表している。ここで、プリンタは、ｎ3個のサブピクセル単位である距離ｄ1だけ側方向に移動する。この場合、ｎ3＝３である。これはプリンタの位置Ａ２である。次に、プリンタは、第２の組の行：サブピクセル行４、１６、および２８に赤色；サブピクセル行８、２０、および３２に青色；ならびにサブピクセル行１２、２４、および３６に緑色を印刷する。これは印刷番号２列に示されている。明瞭にするために、印刷番号２は、印刷番号１の右にずれて示されている。印刷番号１および印刷番号２の両方、ならびに全ての他の印刷番号が、加工物にわたって印刷されるサブピクセルの全部の行を代表している。次に、プリンタは、印刷番号３について３サブピクセル単位だけ移動され、印刷番号４についても３サブピクセル単位だけ移動される。
【００６６】
この時点で、プリンタは、４組の９行のサブピクセルを印刷しており、これは、ｎ2組のｚ個のサブピクセル行である。次に、印刷ヘッドは、距離ｄ2だけ側方向に移動され、ここでｄ2＝ｎ2ｚｓであり、この図では３６サブピクセル単位に等しい。新たな位置は、第２の印刷位置Ｂ１であり、ここで
Ｂ１＝Ａ１＋３６＝３７である。
【００６７】
次に、プリンタは、印刷番号５〜８に示されるようにさらなる４組の９行のサブピクセルを印刷する。
【００６８】
印刷された結果が、「パターン」と表示された列に示されている。第１の縁部においてサブピクセル行２、３および６ならびに反対側の縁部においてサブピクセル行７３、７６、および７７にはサブピクセルが脱落しているのが分かる。したがって、使用可能なデバイスの領域は、サブピクセル行７からサブピクセル行７２までである。この図には赤色、青色、および緑色が例示されているが、他の色が使用され得る。
【００６９】
図５には、赤色、青色、および緑色の３色がある。印刷ヘッドには６つのノズルがあり、ノズル間の間隔は、５単位のサブピクセルピッチである。したがって、この図では：
ｃ＝３、
ｚ＝６、
ｎ1＝２、かつ
ｎ2＝５である。
【００７０】
色は、「プリンタ」列に示されるように配置される。印刷ヘッドは、加工物の第１の縁部において、サブピクセル行１上のＡ１に位置決めされる。プリンタは、加工物にわたって行方向に印刷して、サブピクセル行１に赤色の行、サブピクセル行６に緑色の行、サブピクセル行１１に青色の行、サブピクセル行１６に赤色の行、サブピクセル行２１に緑色の行、およびサブピクセル行２６に青色の行を形成する。これは、印刷番号１と表示された列に示されている。図３と同様に、明瞭にするために各色につき１つのみのサブピクセルが示されているが、それぞれサブピクセルの全部の行を代表している。ここで、プリンタは、ｎ3個のサブピクセル単位である距離ｄ1だけ側方向に移動する。この場合、ｎ3＝３である。これはプリンタの位置Ａ２である。次に、プリンタは、第２の組の行：サブピクセル行４および１９に赤色；サブピクセル行９および２４に緑色；ならびにサブピクセル行１４および２９に青色を印刷する。これは印刷番号２列に示されている。明瞭にするために、印刷番号２は、印刷番号１の右にずれて示されている。印刷番号１および印刷番号２の両方、ならびに全ての他の印刷番号が、加工物にわたって印刷されるサブピクセルの全部の行を代表している。次に、プリンタは、印刷番号３について３サブピクセル単位だけ移動され、印刷番号４についても３サブピクセル単位だけ移動され、印刷番号５についても３サブピクセル単位だけ移動される。
【００７１】
この時点で、プリンタは、５組の６行のサブピクセルを印刷しており、これは、ｎ2組のｚ個のサブピクセル行である。次に、印刷ヘッドは、距離ｄ2だけ側方向に移動され、ここでｄ2＝ｎ2ｚｓであり、この図では３０サブピクセル単位に等しい。新たな位置は、第２の印刷位置Ｂ１であり、ここで：
Ｂ１＝Ａ１＋３０＝３１である。
【００７２】
次に、プリンタは、印刷番号６〜１０に示されるようにさらなる５組の６行のサブピクセルを印刷する。
【００７３】
印刷された結果が、「パターン」と表示された列に示されている。第１の縁部においてサブピクセル行２、３、５および８ならびに反対側の縁部においてサブピクセル行６１、６４、６６、および６７にはサブピクセルが脱落しているのが分かる。したがって、使用可能なデバイスの領域は、サブピクセル行９からサブピクセル行６０までである。この図には赤色、青色、および緑色が例示されているが、他の色が使用され得る。
【００７４】
図６には、赤色、緑色、青色および白色の４色がある。印刷ヘッドには８つのノズルがあり、ノズル間の間隔は、５単位のサブピクセルピッチである。したがって、この図では：
ｃ＝４、
ｚ＝８、
ｎ1＝２、かつ
ｎ2＝５である。
【００７５】
色は、「プリンタ」列に示されるように配置される。印刷ヘッドは、加工物の第１の縁部において、サブピクセル行１上のＡ１に位置決めされる。プリンタは、加工物にわたって行方向に印刷して、サブピクセル行１に赤色の行、サブピクセル行６に緑色の行、サブピクセル行１１に青色の行、サブピクセル行１６に白色の行、サブピクセル行２１に赤色の行、サブピクセル行２６に緑色の行、サブピクセル行３１に青色の行、およびサブピクセル行３６に白色の行を形成する。これは、印刷番号１と表示された列に示されている。図３と同様に、明瞭にするために各色につき１つのみのサブピクセルが示されているが、それぞれサブピクセルの全部の行を代表している。ここで、プリンタは、ｎ3個のサブピクセル単位である距離ｄ1だけ側方向に移動する。この場合、ｎ3＝４である。これはプリンタの位置Ａ２である。次に、プリンタは、第２の組の行：サブピクセル行５および２５に赤色；サブピクセル行１４および３４に緑色；サブピクセル行１５および３５に青色；ならびにサブピクセル行２０および４０に白色を印刷する。これは印刷番号２列に示されている。明瞭にするために、印刷番号２は、印刷番号１の右にずれて示されている。印刷番号１および印刷番号２の両方、ならびに全ての他の印刷番号が、加工物にわたって印刷されるサブピクセルの全部の行を代表している。次に、プリンタは、印刷番号３について４サブピクセル単位だけ移動され、印刷番号４についても４サブピクセル単位だけ移動され、印刷番号５についても４サブピクセル単位だけ移動される。
【００７６】
この時点で、プリンタは、５組の８行のサブピクセルを印刷しており、これは、ｎ2組のｚ個のサブピクセル行である。次に、印刷ヘッドは、距離ｄ2だけ側方向に移動され、ここでｄ2＝ｎ2ｚｓであり、この図では４０サブピクセル単位に等しい。新たな位置は、第２の印刷位置Ｂ１であり、ここで：
Ｂ１＝Ａ１＋４０＝４１である。
【００７７】
次に、プリンタは、印刷番号６〜１０に示されるようにさらなる５組の８行のサブピクセルを印刷する。
【００７８】
印刷された結果が、「パターン」と表示された列に示されている。第１の縁部においてサブピクセル行２〜４、７、８および１２ならびに反対側の縁部においてサブピクセル行８１、８５、８６、および８９〜９１にはサブピクセルが脱落しているのが分かる。したがって、使用可能なデバイスの領域は、サブピクセル行１３からサブピクセル行８０までである。この図には赤色、緑色、青色、および白色が例示されているが、他の色が使用され得る。
【００７９】
場合によっては、デバイスの全ての色が印刷されるとは限らない。１つまたは複数の色が、他の堆積方法を用いて堆積されてもよい。そのような方法としては、気相堆積、熱転写、ならびにスピンコーティング、グラビアコーティング、カーテンコーティング、浸漬コーティング、スロットダイコーティング、およびスプレーコーティングなどの連続液相堆積技術が挙げられるが、これらに限定されるものではない。これらの場合、印刷は、印刷されない色のための空いたスペースを残しておかなければならず、印刷されない色は、印刷工程の前または後に適用することができる。これは図７に示されている。
【００８０】
赤色および緑色の２色、ならびに異なる時に堆積されるべき第３の色のための空いたスペースがある。印刷パターンのために、これは３色として数えられる。赤色および緑色を印刷するノズルが８つあり、印刷していないノズルが４つある。印刷ヘッドには、非印刷ノズルが物理的に存在してもまたは存在しなくてもよい。これは合計で１２個のノズルとして数えられる。ノズル（印刷ノズルと非印刷ノズルと）の間の間隔は、２単位のサブピクセルピッチである。したがって、この図では：
ｃ＝３、
ｚ＝１２、
ｎ1＝４、かつ
ｎ2＝２である。
【００８１】
色は、「プリンタ」列に示されるように配置され、ここで、「空き」は非印刷ノズルを示す。印刷ヘッドは、加工物の第１の縁部において、サブピクセル行１上のＡ１に位置決めされる。プリンタは、加工物にわたって行方向に印刷して、サブピクセル行１、７、１３、および１９に赤色の行、ならびにサブピクセル行３、９、１５、および２１に緑色の行を形成する。これは、印刷番号１と表示された列に示されている。図３と同様に、明瞭にするために各色につき１つのみのサブピクセルが示されているが、それぞれサブピクセルの全部の行を代表している。ここで、プリンタは、ｎ3個のサブピクセル単位である距離ｄ1だけ側方向に移動する。この場合、ｎ3＝３である。これはプリンタの位置Ａ２である。次に、プリンタは、第２の組の行：サブピクセル行４、１０、１６、および２２に赤色、ならびにサブピクセル行６、１２、１８、および２４に緑色の行を印刷する。これは印刷番号２列に示されている。明瞭にするために、印刷番号２は、印刷番号１の右にずれて示されている。印刷番号１および印刷番号２の両方、ならびに全ての他の印刷番号が、加工物にわたって印刷されるサブピクセルの全部の行を代表している。
【００８２】
この時点で、プリンタは、非印刷ノズルを含めて、２組の１２行のサブピクセルを印刷している。これは、ｎ2組のｚ個のサブピクセル行である。次に、印刷ヘッドは、距離ｄ2だけ側方向に移動され、ここでｄ2＝ｎ2ｚｓであり、この図では２４サブピクセル単位に等しい。新たな位置は、第２の印刷位置Ｂ１であり、ここで：
Ｂ１＝Ａ１＋２４＝２５である。
【００８３】
次に、プリンタは、印刷番号３〜４に示されるようにさらなる２組の１２行のサブピクセルを印刷する。
【００８４】
次に、印刷ヘッドはまた、２４サブピクセル単位である距離ｄ2だけ側方向に移動される。新たな位置は第３の印刷位置Ｃ１であり、ここで：
Ｃ１＝Ｂ１＋２４＝４９である。
【００８５】
次に、プリンタは、印刷番号５〜６に示されるようにさらなる２組の１２行のサブピクセルを印刷する。
【００８６】
印刷された結果が、「パターン」と表示された列に示されている。サブピクセル行２、５、８など、非印刷行には脱落しているサブピクセルがあるに過ぎないのが分かる。したがって、第３の色が加えられるとき、加工物全体が使用可能となる。図には赤色および緑色が例示されているが、他の色が使用され得る。
【００８７】
４．電子デバイス
明細書に記載の印刷方法を使用することができるデバイスとしては、有機電子デバイスが挙げられる。用語「有機電子デバイス」または場合により単に「電子デバイス」は、１つまたは複数の有機半導体の層または材料を含むデバイスを意味することを意図している。有機電子デバイスとしては：（１）電気エネルギーを放射線に変換するデバイス（たとえば、発光ダイオード、発光ダイオードディスプレイ、ダイオードレーザー、または照明パネル）、（２）電子的過程を用いて信号を検出するデバイス（たとえば、光検出器、光導電セル、フォトレジスタ、フォトスイッチ、フォトトランジスタ、光電管、赤外（「ＩＲ」）検出器、またはバイオセンサー）、（３）放射線を電気エネルギーに変換するデバイス（たとえば、光起電性デバイスまたは太陽電池）、（４）１つまたは複数の有機半導体層（たとえば、トランジスタまたはダイオード）を含む１つまたは複数の電子部品を含むデバイス、あるいは項目（１）〜（４）中のデバイスの任意の組み合わせが挙げられるが、これらに限定されるものではない。
【００８８】
そのようなデバイスにおいては、有機活性層が２つの電気接触層の間に挟まれている。電気接触層の少なくとも１つは、光が電気接触層を透過できるように光透過性である。有機活性層は、電気接触層にわたって電気が印加されると、光透過性の電気接触層を通して発光する。発光層と電気接触層との間にさらなる電気活性層が存在してもよい。
【００８９】
必要な色を提供するために、そのようなデバイスにおいて有機エレクトロルミネッセンス化合物を活性成分として使用することは周知である。本明細書に記載の印刷方法は、異なる色を有するエレクトロルミネッセンス材料を含有する液体組成物を印刷するのに適している。そのような材料としては、小分子有機蛍光化合物、蛍光性およびリン光性の金属錯体、共役ポリマー、ならびにそれらの混合物が挙げられるが、これらに限定されるものではない。蛍光化合物の例としては、ピレン、ペリレン、ルブレン、クマリン、アントラセン、チアジアゾール、それらの誘導体、およびそれらの混合物が挙げられるが、これらに限定されるものではない。場合によっては、これらの小分子材料は、処理特性および／または電子的特性を向上させるために、ホスト材料中にドーパントとして存在する。金属錯体の例としては、金属キレート化オキシノイド化合物ならびにシクロメタレート化されたイリジウムおよび白金のエレクトロルミネッセンス化合物が挙げられるが、これらに限定されるものではない。これらの錯体はまた、電荷キャリアホスト材料中のドーパントとして存在してもよい。共役ポリマーの例としては、ポリ（フェニレンビニレン）、ポリフルオレン、ポリ（スピロビフルオレン）、ポリチオフェン、ポリ（ｐ−フェニレン）、それらのコポリマー、およびそれらの混合物が挙げられるが、これらに限定されるものではない。
【００９０】
概要または実施例において前述したすべての行為が必要なわけではなく、特定の行為の一部は不要である場合があり、１つまたは複数のさらに別の行為が、前述の行為に加えて実施される場合があることに留意されたい。さらに、行為が列挙されている順序は、必ずしもそれらが実施される順序ではない。
【００９１】
以上の明細書において、具体的な実施形態を参照しながら本発明の概念を説明した。しかし、当業者であれば、特許請求の範囲に記載される本発明の範囲から逸脱せずに種々の変更および変形を行えることが理解できるであろう。したがって、本明細書および図面は、限定的な意味ではなく説明的なものであるとみなすべきであり、すべてのこのような変更は、本発明の範囲内に含まれることを意図している。
【００９２】
特定の実施形態に関して、利益、その他の利点、および問題に対する解決法を以上に記載してきた。しかし、これらの利益、利点、問題の解決法、ならびに、何らかの利益、利点、または解決法を発生させたり、より顕著にしたりすることがある、あらゆる特徴が、特許請求の範囲のいずれかまたはすべての重要な、必要な、または本質的な特徴として解釈されるものではない。
【００９３】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。本明細書において指定される種々の範囲内の数値が使用される場合、記載の範囲内の最小値および最大値の両方の前に単語「約」が付けられているかのように近似値として記載されている。この方法では、記載の範囲よりもわずかに上およびわずかに下のばらつきを使用して、その範囲内の値と実質的に同じ結果を得ることができる。また、これらの範囲の開示は、ある値の一部の成分を異なる値の一部の成分と混合した場合に生じうる分数値を含めて、最小平均値と最大平均値との間のすべての値を含む連続した範囲であることを意図している。さらに、より広い範囲およびより狭い範囲が開示される場合、ある範囲の最小値を別の範囲の最大値と一致させること、およびその逆のことが本発明の意図の範囲内である。
【図１】
2011507190.tif 000003
【図２】
2011507190.tif 000004
【図３Ａ】
2011507190.tif 000005
【図３Ｂ】
2011507190.tif 000006
【図３Ｃ】
2011507190.tif 000007
【図４Ａ】
2011507190.tif 000008
【図４Ｂ】
2011507190.tif 000009
【図４Ｃ】
2011507190.tif 000010
【図４Ｄ】
2011507190.tif 000011
【図５Ａ】
2011507190.tif 000012
【図５Ｂ】
2011507190.tif 000013
【図５Ｃ】
2011507190.tif 000014
【図５Ｄ】
2011507190.tif 000015
【図６Ａ】
2011507190.tif 000016
【図６Ｂ】
2011507190.tif 000017
【図６Ｃ−１】
2011507190.tif 000018
【図６Ｃ−２】
2011507190.tif 000019
【図６Ｄ】
2011507190.tif 000020
【図７Ａ】
2011507190.tif 000021
【図７Ｂ】
2011507190.tif 000022
【図７Ｃ】
2011507190.tif 000023
【図７Ｄ】
2011507190.tif 000024
【国際調査報告】
2011507190.tif 000025